(57)【要約】【課題】本開示は、装置を大型化させることなく、マルチコアファイバに備わるコアごとに光素子を接続可能にすることを目的とする。【解決手段】本開示の光学部品（１０）は、柱形状を有し、柱形状の長手方向（ＤＬ）に沿って複数の光導波路（１１）が形成され、柱形状の側面（１０Ｓ）に、複数の光導波路（１１）の少なくとも１つを横切るスロット（１２）が設けられている。【選択図】図１
2019078912.tif 000002
【特許請求の範囲】
【請求項１】
柱形状を有する光学部品であって、
前記柱形状の長手方向に沿って複数の光導波路が形成され、
前記柱形状の側面に、前記複数の光導波路の少なくとも１つを横切るスロットが設けられている、
光学部品。
【請求項２】
前記柱形状の長手方向の少なくとも一方の露出面に、前記複数の光導波路の端面が、マルチコアファイバのコアの配置と一致するように配置されている、
請求項１に記載の光学部品。
【請求項３】
前記露出面に、マルチコアファイバの端部を挿入するマルチコアファイバ挿入孔が設けられている、
請求項２に記載の光学部品。
【請求項４】
前記柱形状の長手方向の少なくとも一方の露出面に、マルチコアファイバが接続されている、
請求項２又は３に記載の光学部品。
【請求項５】
前記スロットに平面光波回路が配置され、
前記光学部品に備わる前記光導波路と前記平面光波回路に備わる光導波路とが接続されている、
請求項１から４のいずれかに記載の光学部品。
【請求項６】
前記平面光波回路に備わる光導波路の端部は、モードフィールド径が拡大されている、
請求項５に記載の光学部品。
【請求項７】
前記平面光波回路に備わる光導波路と前記光学部品に備わる前記光導波路との接続部分に、前記光学部品に備わる前記光導波路と前記平面光波回路に備わる光導波路を光学的に結合するレンズが設けられている、
請求項５又は６に記載の光学部品。
【請求項８】
前記平面光波回路に、発光素子又は受光素子が搭載されている、
請求項５から７のいずれかに記載の光学部品。
【請求項９】
単一コアファイバを保持する単一コアファイバ保持部品をさらに備え、
前記平面光波回路の光導波路の少なくとも１つが、前記単一コアファイバ保持部品に保持されている単一コアファイバに接続されている、
請求項５から８のいずれかに記載の光学部品。
【請求項１０】
前記柱形状の側面に複数の前記スロットが形成され、
前記複数のスロットの前記柱形状の周方向の位置が異なる、
請求項１から９のいずれかに記載の光学部品。
【請求項１１】
前記柱形状の側面に複数の前記スロットが形成され、
前記複数のスロットの前記柱形状の長手方向の位置が異なる、
請求項１から１０のいずれかに記載の光学部品。
【発明の詳細な説明】
【技術分野】
【０００１】
本開示は、マルチコアファイバと平面光波回路を接続する光学部品に関する。
【背景技術】
【０００２】
マルチコアファイバと光送受信モジュールなどの光素子を接続する技術が提案されている（例えば、特許文献１及び２参照。）。特許文献１の多心ファイバコネクタは、マルチコアファイバのコア配置と光素子の配置とを一致させる。特許文献２のマルチコアインターフェイスは、マルチコアファイバに備わる各コアにシングルコアファイバを接続した、いわゆるファンイン／ファンアウトデバイスである。ファンアウト用のシングルコアファイバに光素子を接続する。
【０００３】
特許文献１では、マルチコアファイバと光素子とを直接接続するため、マルチコアファイバに備わるコアごとに異なる光素子を接続することは困難である。特許文献２では、マルチコアファイバに備わるコアごとに異なる光素子を接続することはできるが、マルチコアファイバを単心のシングルコアファイバに分離するため、装置が大型化する問題がある。
【先行技術文献】
【特許文献】
【０００４】
【特許文献１】特表２０１３−５２２６８０
【特許文献２】特開２０１３−０６８８９１
【発明の概要】
【発明が解決しようとする課題】
【０００５】
本開示は、装置を大型化させることなく、マルチコアファイバに備わるコアごとに光素子を接続可能にすることを目的とする。
【課題を解決するための手段】
【０００６】
本開示の光学部品は、
柱形状を有する光学部品であって、
前記柱形状の長手方向に沿って複数の光導波路が形成され、
前記柱形状の側面に、前記複数の光導波路の少なくとも１つを横切るスロットが設けられている。
【発明の効果】
【０００７】
本開示によれば、本開示は、装置を大型化させることなく、マルチコアファイバに備わるコアごとに光素子を接続可能にすることができる。
【図面の簡単な説明】
【０００８】
【図１】第１の実施形態例を示す。
【図２】光学部品の断面図を示す。
【図３】スロットに平面光波回路が配置された状態の断面図を示す。
【図４】図３に示すＢ−Ｂ’断面の一例を示す。
【図５】マルチコアファイバの中心に配置されたコアに入出力する、スロット及び平面光波回路の第１の形態例を示す。
【図６】マルチコアファイバの中心に配置されたコアに入出力する、スロット及び平面光波回路の第２の形態例を示す。
【図７】マルチコアファイバに接続される露出面の第１の形態例を示す。
【図８】マルチコアファイバに接続される露出面の第２の形態例を示す。
【図９】光導波路の形態例を示す。
【図１０】第２の実施形態例を示す。
【図１１】スロットに平面光波回路が配置された状態の光学部品の断面図を示す。
【図１２】スロットの第２の配置例を示す。
【図１３】スロットに平面光波回路が配置された状態の光学部品の断面図を示す。
【図１４】図１２に示すＤ−Ｄ’断面図を示す。
【図１５】図１２に示すＥ−Ｅ’断面図を示す。
【図１６】図１２に示すＦ−Ｆ’断面図を示す。
【図１７】スロットの第３の配置例を示す。
【図１８】第３の実施形態例を示す。
【発明を実施するための形態】
【０００９】
以下、本開示の実施形態について、図面を参照しながら詳細に説明する。なお、本開示は、以下に示す実施形態に限定されるものではない。これらの実施の例は例示に過ぎず、本開示は当業者の知識に基づいて種々の変更、改良を施した形態で実施することができる。なお、本明細書及び図面において符号が同じ構成要素は、相互に同一のものを示すものとする。
【００１０】
（第１の実施形態）
図１に、本実施形態の一例を示す。本実施形態に係る光学部品１０は、柱形状を有し、柱形状の長手方向ＤＬの少なくとも一方の露出面１０Ｅ１に、光導波路１１の端面が配置されている。この露出面１０Ｅ１に、マルチコアファイバ５０が接続される。本実施形態に係る光学部品１０は、柱形状の側面１０Ｓに、平面光波回路２０が搭載可能な、少なくとも１つのスロット１２が設けられている。スロット１２は、図示のように、複数のスロットが柱形状の周方向のそれぞれ異なる位置に設けられてもよい。これにより、本実施形態の光学部品１０は、マルチコアファイバ５０と平面光波回路２０を接続する。
【００１１】
光学部品１０は、マルチコアファイバ５０のコア５１からの光を伝搬する光導波路１１を形成可能な任意の部品である。例えば、キャピラリーの貫通孔内に光ファイバが配置されているもの、キャピラリー内に光を伝搬するコアが形成されているもの、平面光波回路を積層して形成されたもの、が例示できる。光学部品１０は、光導波路１１をコア５１及び光導波路２１に結合可能な任意の材質を用いることができ、例えば、樹脂、ガラス、シリコンが例示できる。
【００１２】
図２に、光学部品１０の断面図を示す。図２（ａ）は、長手方向ＤＬのうちのスロット１２の配置されていない位置での、長手方向ＤＬに垂直な断面の一例を示す。図２（ｂ）は、図２（ａ）に示すＡ−Ａ’断面の一例を示す。
【００１３】
光導波路１１の端面は、マルチコアファイバ５０のコア５１の配置と一致するように配置されている。これにより、マルチコアファイバ５０に備わるすべてのコア５１を、露出面１０Ｅ１で、光導波路１１に接続することができる。
【００１４】
露出面１０Ｅ１における光導波路１１の端面の配置は、マルチコアファイバ５０のコア５１の配置に依存する任意の形態を採りうる。例えば、Ｎ個のコア５１が同心円上に等間隔に配置されているマルチコアファイバ５０の場合、露出面１０Ｅ１には、Ｎ個の光導波路１１の端面がコア５１と同じ円上に等間隔で配置されている。Ｌ×Ｍ個のコア５１が２次元配列されているマルチコアファイバ５０の場合、露出面１０Ｅ１には、Ｌ×Ｍ個の光導波路１１の端面がコア５１と同じ間隔で２次元に配列されている。ここで、Ｌ、Ｍ、Ｎは、２以上の任意の数であり、例えば、４、６、１２などである。Ｎ個のコア５１が一列に配列されているマルチコアファイバ５０の場合、露出面１０Ｅ１には、Ｎ個の光導波路１１の端面がコア５１と同じ間隔で一列に配列されている。
【００１５】
光導波路１１は、長手方向ＤＬに沿って形成されている。例えば、光導波路１１は、長手方向ＤＬに平行に配置されている。ここで、光導波路１１は、露出面１０Ｅ１とスロット１２との間で光を導波するものであれば足り、長手方向ＤＬに平行に配置されている必要はない。例えば、光導波路１１の間隔（例えば光導波路１１の中心間距離）は、露出面１０Ｅ１ではコア５１の間隔（例えばコア５１の中心間距離）に等しいが、長手方向ＤＬのうちのスロット１２の配置される位置ではコア５１の間隔よりも広がっていてもよい。また、光導波路１１は、光が導波できれば直線である必要はなく、湾曲している部分や、ミラーを配置するなどした屈曲している部分があってもよい。
【００１６】
スロット１２は、複数の光導波路１１の少なくとも１つを横切るように、柱形状の側面１０Ｓに設けられている。すなわち、スロット１２の内壁面の少なくとも一部に、光導波路１１の端面が露出している。１つのスロット１２が横切る光導波路１１の数は、コア５１の使用形態、平面光波回路２０の設計に応じた、１以上かつ光導波路１１の数以下の任意の数を採用しうる。
【００１７】
図３に、スロット１２に平面光波回路２０が配置された状態の断面図を示す。図３（ａ）は、長手方向ＤＬのうちのスロット１２の配置されていない位置での、長手方向ＤＬに垂直な断面の一例を示す。図３（ｂ）は、図３（ａ）に示すＡ−Ａ’断面の一例を示す。図４は、図３に示すＢ−Ｂ’断面の一例を示す。図３及び図４の例では、７つのコア５１及び光導波路１１に対し、６つのスロット１２を備える例を示す。このように、光導波路１１のうちの最外周に配置されている光導波路１１の数に等しいスロット数としてもよい。
【００１８】
平面光波回路２０の光導波路２１は、スロット１２に平面光波回路２０が配置された状態で、光導波路１１と光導波路２１とが、光導波路２１１を介して接続される位置に形成されている。例えば、スロット１２の底部から光導波路１１までの高さＨ１１と、スロット１２の底部に配置される平面光波回路２０の側面２０Ｃから光導波路２１１までの高さＨ２１と、は略等しい。これにより、本開示は、スロット１２内に平面光波回路２０を挿入することで、光導波路１１に接続されているコア５１と平面光波回路２０を接続できる。
【００１９】
光導波路２１は、光導波路２１１を介さずに光導波路１１と直接接続されてもよい。その場合も、スロット１２の底部から光導波路１１までの高さＨ１１と、スロット１２の底部に配置される平面光波回路２０の側面２０Ｃから光導波路２１までの高さＨ２１と、は略等しい。以下では、光導波路２１１と光導波路２１を総称して、単に光導波路２１と称す。このように、本開示は、コア５１と平面光波回路２０を光導波路１１で接続するため、装置の大型化を防ぐことができる。
【００２０】
平面光波回路２０には、発光素子又は受光素子などの光素子２２が搭載されている。光素子２２は、光導波路２１及び１１を介して、マルチコアファイバ５０のコア５１のいずれかに接続されている。このため、光素子２２が発光素子の場合、光素子２２からの光を、光導波路２１及び１１で接続されたコア５１に入力することができる。光素子２２が受光素子の場合、光導波路２１及び１１で接続されたコア５１からの光を、光素子２２で受光することができる。平面光波回路２０には、光素子２２に限らず、電子素子が搭載されていてもよい。平面光波回路２０に増幅器などの電子回路や送受信モジュールを搭載することで、装置をより小型化することができる。
【００２１】
なお、本開示は、第２の実施形態及び第３の実施形態で述べるように、平面光波回路２０の露出面１０Ｅ２側に光学部品１０や単一コアファイバ保持部品３０が配置されうる。このため、電極２５などの平面光波回路２０外部とのコネクタは、平面光波回路２０の側面２０Ｃに対向する側面２０Ｓに配置されることが好ましい。
【００２２】
本開示は、マルチコアファイバ５０に備わるコア５１ごとに任意の平面光波回路２０を接続することができる。このため、マルチコアファイバ５０に備わるコア５１ごとに、所望の機能を搭載した平面光波回路２０を搭載することができる。例えば、あるスロット１２には送信用モジュールの搭載された平面光波回路２０を配置し、あるスロット１２には受信用モジュールの搭載された平面光波回路２０を配置し、あるスロット１２には試験用モジュールの搭載された平面光波回路２０を配置し、あるスロット１２には予備送受信用モジュールの搭載された平面光波回路２０を配置するなどである。
【００２３】
マルチコアファイバ５０に備わる任意のコア５１のうちの使用しないものがある場合、スロット１２に平面光波回路２０を配置しないことも可能である。この場合、光導波路１１での端面反射を防止する光導波路２１を搭載した平面光波回路２０を、スロット１２に配置してもよい。
【００２４】
図４に、スロットへの平面光波回路の配置例を示す。光導波路１１ごとに平面光波回路２０を配置する場合、スロット１２は、他の光導波路１１と重ならない必要がある。このため、スロット１２の幅Ｔ１２、及び平面光波回路２０のうちのスロット１２内に配置される部分の幅Ｔ２０は、光導波路１１の間隔（図３（ａ）に示す符号ＰＣ）よりも薄い。
【００２５】
そこで、平面光波回路２０の高さ（図３に示す符号Ｈ２０）を、スロット１２の深さ（図２に示す符号Ｄ１２）よりも高くし、平面光波回路２０のうちのスロット１２外に配置される部分の幅（図４に示す符号Ｔ２０）を、平面光波回路２０のうちのスロット１２内に配置される部分よりも厚くする。そして、スロット１２内の平面光波回路２０に搭載できない機能を、スロット１２外の平面光波回路２０に搭載する。例えば、図３に示すように、スロット１２内の平面光波回路２０には光導波路２１のみを配置し、スロット１２外の平面光波回路２０に光素子２２を配置する。このような構成を採用することで、平面光波回路２０の多機能化が可能になるため、装置をより小型化することができる。
【００２６】
スロット１２の長さ（図２に示す符号Ｌ１２）は任意である。例えば、図３に示すように、平面光波回路２０の幅Ｗ２０よりも短くてもよい。この場合、後述する図１０及び図１１に示すように、長手方向ＤＬの位置Ｐｍで他の光学部品と接続することができる。また、スロット１２の長さＬ１２と平面光波回路２０の幅Ｗ２０は同じであってもよい。この場合、後述する図１０及び図１１に示すように、長手方向ＤＬの位置Ｐ２で他の光学部品と接続することができる。
【００２７】
図５に、マルチコアファイバ５０の中心に配置されたコア５１に入出力する、スロット１２及び平面光波回路２０の第１の形態例を示す。図６に、マルチコアファイバ５０の中心に配置されたコア５１に入出力する、スロット１２及び平面光波回路２０の第２の形態例を示す。
【００２８】
光導波路１１−７を中心に光導波路１１−１〜１１−６が同心円上に配置された７心の配置では、光導波路１１−１、１１−７及び１１−４が同一直線上に配置される。そのため、図５に示すように、光導波路１１−１及び１１−７を横切るスロット１２−１と、光導波路１１−４を横切るスロット１２−４と、を設ける構成を採用しうる。また、図６に示すように、光導波路１１−１、１１−７及び１１−４を横切るスロット１２−１を設ける構成を採用しうる。このように、本開示のスロット１２は、複数の光導波路を横切っていてもよい。
【００２９】
図５に示すスロット１２−１の場合、光素子２２−１及び２２−７の搭載された平面光波回路２０を用いる。図６に示すスロット１２−１の場合、光素子２２−１、２２−７及び２２−４の搭載された平面光波回路２０を用いる。光素子２２−１は光導波路１１−１が接続されるコア５１に対応し、光素子２２−７は光導波路１１−７が接続されるコア５１に対応し、光素子２２−４は光導波路１１−４が接続されるコア５１に対応する。このように、１つのスロット１２が複数の光導波路１１を横切る場合、複数のコア５１に対応する機能が搭載された平面光波回路２０がスロット１２に配置される。
【００３０】
図７に、露出面１０Ｅ１の第１の形態例を示す。露出面１０Ｅ１には、マルチコアファイバ５０の端部を挿入するマルチコアファイバ挿入凹部１３−１が設けられていることが好ましい。マルチコアファイバ挿入凹部１３−１の開口径Ｄ１３は、コア５１と光導波路１１との調心が容易になるよう、被覆の除去されたマルチコアファイバ５０の端部の外径（図１に示す符号Ｄ５０）に略等しいことが好ましい。
【００３１】
図８に、露出面１０Ｅ１の第２の形態例を示す。露出面１０Ｅ１にはマルチコアファイバ５０の端部と突き合わせるマルチコアファイバ突合せ凸部１４−１が設けられてもよい。マルチコアファイバ突合せ凸部１４−１の外径Ｄ１４はマルチコアファイバ５０の端部の外径（図１に示す符号Ｄ５０）に略等しいことが望ましく、双方の外形をスリーブ等によって位置決めすれば良い。
【００３２】
また、マルチコアファイバ挿入凹部１３−１やマルチコアファイバ突合せ凸部１４−１には、光導波路１１の配置に対する予め定められた位置に、基準１３Ｓが設けられていることが好ましい。基準１３Ｓは、例えば、図７及び図８に示すような平坦部である。マルチコアファイバ５０が、平坦面を有するＤカット形状である場合、複数のコア５１に対する平坦面の位置と、複数の光導波路１１に対する基準１３Ｓと、が略一致している。なお、基準１３Ｓの形状は、平坦面に限らず、Ｖ字形状など、任意の形状を採用しうる。
【００３３】
図９に、光導波路１１及び２１の形態例を示す。マルチコアファイバ５０と光学部品１０との結合効率、光学部品１０と平面光波回路２０との結合効率は高いことが好ましい。そこで、マルチコア光ファイバ５０のモードフィールド径が光導波路１１のモードフィールド径より大きい場合は、光導波路１１のコア５１と接続される端部は、モードフィールド径が拡大されていることが好ましい。また、光導波路１１のモードフィールド径が光導波路２１のモードフィールド径より大きい場合は、光導波路２１の光導波路１１と接続される端部は、モードフィールド径が拡大されていることが好ましい。また、光導波路２１と光導波路１１との接続部分に、光導波路１１と光導波路２１を光学的に結合するレンズ２３が設けられていることが好ましい。レンズ２３は、平面光波回路２０の一部をレンズ状に加工したものであってもよい。レンズ２３は、平面光波回路２０とは別個のレンズ部品であってもよい。
【００３４】
以上説明したように、本実施形態の光学部品１０は、柱形状の側面１０Ｓに設けたスロット１２に任意の機能の平面光波回路２０を差し込むことで、露出面１０Ｅ１に接続されたマルチコアファイバ５０のコア５１ごとに任意の機能の光素子が接続できる。したがって、本開示は、装置を大型化させることなく、マルチコアファイバ５０に備わるコア５１ごとに光素子２２を接続可能にすることができる。
【００３５】
（第２の実施形態）
図１０に、本実施形態の一例を示す。本実施形態の光学部品１０は、露出面１０Ｅ１にマルチコアファイバ５０−１が接続され、露出面１０Ｅ２にマルチコアファイバ５０−２が接続される。
【００３６】
図１１に、スロット１２に平面光波回路２０が配置された状態の光学部品１０の断面図を示す。図１１は、光導波路１１のうちの中心に配置された光導波路１１−７を通る、長手方向ＤＬに平行な縦断面の一例を示す。すなわち、図３（ｂ）に示すＡ−Ａ’断面に相当する。本実施形態においては、露出面１０Ｅ１に設けられたマルチコアファイバ挿入孔１３−１に加え、露出面１０Ｅ２にマルチコアファイバ挿入孔１３−２が設けられていてもよい。
【００３７】
マルチコアファイバ５０−１のコア５１−１の配置とマルチコアファイバ５０−２のコア５１−２の配置が同じ場合、光導波路１１−１１及び１１−１２は同一直線上に配置され、光導波路１１−４１及び１１−４２は同一直線上に配置され、光導波路１１−１１、１１−７、１１−４１は平行に配置される。
【００３８】
マルチコアファイバ５０−１のコア５１−１の配置とマルチコアファイバ５０−２のコア５１−２の配置は異なってもよい。例えば、コア５１−１の数とコア５１−２の数は異なってもよい。この場合、露出面１０Ｅ１に接続される光導波路１１−１１、１１−４１はマルチコアファイバ５０−１のコア５１−１の配置に合わせて配置され、露出面１０Ｅ２に接続される光導波路１１−１２、１１−４２はマルチコアファイバ５０−２のコア５１−２の配置に合わせて配置される。
【００３９】
平面光波回路２０は、スロット１２に平面光波回路２０が配置された状態で、光導波路１１−１１と接続される位置に光導波路２１−１が形成され、光導波路１１−１２と接続される位置に光導波路２１−２が形成されている。平面光波回路２０は、光導波路１１−４１と、光導波路１１−４２と、を直接接続する光導波路２１−３であってもよい。また、光導波路２１−３は、光導波路２１−４と分岐結合してもよい。光導波路２１−４がなく、光導波路２１−３のみであってもよい。
【００４０】
光導波路２１−１には光素子２２−１が接続され、光導波路２１−２には光素子２２−２が接続されている。これにより、コア５１−１を伝搬する光と、コア５１−２を伝搬する光と、で異なる処理を行うことができる。なお、これらの処理が同じ場合は、共通の光素子を用いることができる。
【００４１】
導波路２１−４には、光素子２２−３が接続されている。これにより、コア５１−１を伝搬する光の一部を所定の比率で光導波路２１−４に分岐し、処理を行うことができる。また、光導波路２１−４からの光を合波させてコア５１−１に伝搬することができる。光導波路２１−４がなく、光導波路２１−３のみの場合は、コア５１−１を伝搬する光は、処理されることなく、そのままコア５１−２に伝搬する。
【００４２】
本実施形態の光学部品１０は、複数の部材１０−１及び１０−２で構成されていてもよい。この場合、部材１０−１及び１０−２は、スロット１２の露出面１０Ｅ１側の端部の配置されている位置Ｐ１で接続されていてもよいし、スロット１２の露出面１０Ｅ２側の端部の配置されている位置Ｐ２で接続されていてもよいし、位置Ｐ１と位置Ｐ２の中間に配置されている位置Ｐｍで接続されていてもよい。
【００４３】
図１０では、スロット１２の第１の配置例を示す。スロット１２の第１の配置例では、長手方向ＤＬのうちの、露出面１０Ｅ１から同じ距離の位置Ｐ１、及び露出面１０Ｅ２から同じ距離の位置Ｐ２、にすべてのスロット１２が配置されている。また、長手方向ＤＬへのスロット１２の長さなどのスロット１２の形状も共通である。
【００４４】
図１２〜図１６に、スロット１２の第２の配置例を示す。図１２に示すように、光学部品１０の側面１０Ｓに複数のスロット１２が形成され、長手方向ＤＬのスロット１２の位置および柱形状の周方向の位置が異なる。図１３は、各スロット１２に平面光波回路２０が配置された状態の光学部品１０の断面図を示す。図１３は、光導波路１１のうちの中心に配置された光導波路１１−７を通る、長手方向ＤＬに平行な縦断面の一例を示す。すなわち、図３（ｂ）に示すＡ−Ａ’断面に相当する。図１４は図１３に示すＤ−Ｄ’断面図を、図１５は図１３に示すＥ−Ｅ’断面図を、図１６は図１３に示すＦ−Ｆ’断面図を示す。
【００４５】
図１２〜図１６では、光導波路１１−７に対して点対称に配置されている平面光波回路２０−１及び２０−４が露出面１０Ｅ１から位置Ｐ１２までの領域に配置され、光導波路１１−７に対して点対称に配置されている平面光波回路２０−２及び２０−５が位置Ｐ１２から位置Ｐ２３までの領域に配置され、光導波路１１−７に対して点対称に配置されている平面光波回路２０−３及び２０−６が位置Ｐ２３から露出面１０Ｅ２までの領域に配置されている。このように、長手方向ＤＬに平面光波回路２０を分散させることで、スロット２１の外に配置される平面光波回路２０の厚み（図４に示す符号Ｔ２０）の制限が緩和され、平面光波回路２０ごとの機能を増やすことができる。
【００４６】
図１２〜図１６に示す構成は、複数の部材で構成されていてもよい。例えば、露出面１０Ｅ１から位置Ｐ１２までの部材と、位置Ｐ１２から位置Ｐ２３までの部材と、位置Ｐ２３から露出面１０Ｅ２までの部材と、は別部材で構成される。さらに、露出面１０Ｅ１から位置Ｐ１２までの部材は、２つの部材１０−１１及び１０−１２で構成されていてもよい。この場合、これらの接続位置は、図１０及び図１１で説明したように、スロット１２−１の露出面１０Ｅ１側の端部の配置されている位置Ｐ１であってもよいし、スロット１２の露出面１０Ｅ２側の端部の配置されている位置Ｐ２であってもよいし、位置Ｐ１と位置Ｐ２の中間に配置されている位置Ｐｍであってもよい。位置Ｐ１２から位置Ｐ２３までの部材と、位置Ｐ２３から露出面１０Ｅ２までの部材についても同様である。
【００４７】
図１７に、スロット１２の第３の配置例を示す。スロット１２の第３の配置例では、露出面１０Ｅ１側のスロット１２の位置Ｐ１、Ｐ２、Ｐ３が異なるが、露出面１０Ｅ２側のスロット１２の位置Ｐ４が同じである。この場合、位置Ｐ４で部材１０−１及び１０−２が接続されていることが好ましい。これにより、スロット１２を形成するための加工が容易になるとともに、長さの異なる平面光波回路２０を適用することができる。
【００４８】
図１２〜図１７に示すように光学部品１０が複数の部材で構成される場合、部材同士の接続面には、光導波路１１の配置に対する予め定められた位置に、基準が設けられていることが好ましい。そのような基準としては、例えば、予め定められた形状の切り欠きや、ガイドピンが例示できる。切り欠きの形状は任意であり、例えば、平坦面やＶ溝が例示できる。また、スロット１２を基準に用いてもよい。
【００４９】
例えば、図１２に示すように、スロット１２内での接続位置がスロット１２の途中である場合は、スロット１２を基準として、複数の光学部品１０相互間（例えば光学部品１０−１１と光学部品１０−１２）の位置決めを行うことができる。平面光波回路２０、あるいは、平面光波回路２０と同様形状の部材を位置決め部材としてもよい。この場合、位置決め部材をスロットに挿入することによって、複数の光学部品１０相互間の位置決めを行うことができる。
【００５０】
（第３の実施形態）
図１８に、本実施形態の一例を示す。図１８は、光導波路１１のうちの中心に配置された光導波路１１−７を通る、長手方向ＤＬに平行な縦断面の一例を示す。すなわち、図３（ｂ）に示すＡ−Ａ’断面に相当する。本実施形態の光学部品は、第１の実施形態で説明した光学部品１０に、単一コアファイバ保持部品３０が接続されている。
【００５１】
単一コアファイバ保持部品３０は、例えば、キャピラリーなどの単一コアファイバ３１を保持可能な貫通孔３２を備える光部品である。貫通孔３２は、平面光波回路２０の光導波路２１に接続可能な位置に配置される。例えば、貫通孔３２は、光導波路１１−１に接続される平面光波回路２０−１の光導波路２１と接続可能な位置に配置される。貫通孔３２に単一コアファイバ３１を挿入し、単一コアファイバ３１の端面を平面光波回路２０−１と接続することで、平面光波回路２０−１の光導波路２１を単一コアファイバ保持部品３０に保持されている単一コアファイバ３１に接続することができる。
【００５２】
単一コアファイバ保持部品３０は、光学部品１０の側面１０Ｓを覆う形状を有することが好ましい。これにより、貫通孔３２の位置の固定が容易になる。貫通孔３２の位置は、図に示すようなスロット１２外の平面光波回路２０に配置された光導波路２１と接続可能な位置であってもよいし、スロット１２内の平面光波回路２０に配置された光導波路２１と接続可能な位置であってもよい。
【００５３】
単一コアファイバ保持部品３０は、スロット１２に配置されたすべての平面光波回路２０の光導波路２１と接続可能な貫通孔３２を備えることが好ましい。この場合、平面光波回路２０−４のように、単一コアファイバ３１に出力する必要の無い貫通孔３２には、単一コアファイバ３１を配置しなくてもよい。
【００５４】
単一コアファイバ保持部品３０の貫通孔３２は、光導波路１１と直接的に接続可能な位置に配置されていてもよい。これにより、光学部品１０にスロット１２の配置されていない光導波路１１（例えば、光導波路１１−７）が存在する場合に、当該光導波路１１を単一コアファイバ３１に接続することができる。
【産業上の利用可能性】
【００５５】
本開示は情報通信産業に適用することができる。
【符号の説明】
【００５６】
１０：光学部品
１０−１、１０−２、１０−３、１０−４、１０−１１、１０−１２、１０−２１、１０−２２、１０−３１、１０−３２：光学部品を構成する部材
１０Ｓ：側面
１０Ｅ１、１０Ｅ２：長手方向の露出面
１１、１１−１、１１−２、１１−３、１１−４、１１−５、１１−６、１１−７、１１−１１、１１−４１、１１−１２、１１−４２：光導波路
１２、１２−１、１２−４：スロット
１３、１３−１、１３−２：マルチコアファイバ挿入凹部
１３Ｓ：基準
１４−１：マルチコアファイバ突合せ凸部
２０、２０−１、２０−２、２０−３、２０−４、２０−５、２０−６：平面光波回路
２０Ｃ、２０Ｓ：平面光波回路の側面
２１、２１−１、２１−２、２１−３、２１−４、２１−７：光導波路
２２、２２−１、２２−２、２２−３、２２−４、２２−７：光素子
２３：レンズ
２５：電極
３０：単一コアファイバ保持部品
３１：単一コアファイバ
５０、５０−１、５０−２：マルチコアファイバ
５１、５１−１、５１−２：コア
【図１】
2019078912.tif 000003
【図２】
2019078912.tif 000004
【図３】
2019078912.tif 000005
【図４】
2019078912.tif 000006
【図５】
2019078912.tif 000007
【図６】
2019078912.tif 000008
【図７】
2019078912.tif 000009
【図８】
2019078912.tif 000010
【図９】
2019078912.tif 000011
【図１０】
2019078912.tif 000012
【図１１】
2019078912.tif 000013
【図１２】
2019078912.tif 000014
【図１３】
2019078912.tif 000015
【図１４】
2019078912.tif 000016
【図１５】
2019078912.tif 000017
【図１６】
2019078912.tif 000018
【図１７】
2019078912.tif 000019
【図１８】
2019078912.tif 000020